(57)【要約】【課題】照明器具内の目立たない位置に内蔵したカメラによって広い範囲の映像を撮影することができる小型化されたカメラ内蔵照明器具を提供する。【解決手段】撮影用溝部１９が設けられた反射板部１２と、反射板部１２に組み付けられる背面部１１と、反射板部１２と背面部１１とで囲まれる収容空間１７に収容されるカメラ１３と、反射板部１２に臨む光源部１５と、カメラ１３の撮像レンズ２１の法線ＬＮと交差する位置に設けられた可動式のミラー部１４と、を備え、撮影用溝部１９は、ミラー部１４の法線ＭＮに対して、カメラ１３の撮像レンズ２１の法線ＬＮと線対称となる線分３０が、撮影用溝部１９を通過するように設定される。【選択図】図５
2011028981.tif 000002
【特許請求の範囲】
【請求項１】
反射板部と、前記反射板部に組み付けられる背面部と、前記反射板部と前記背面部とで囲まれる収容空間に収容されるカメラと、前記反射板部に臨んで取り付けられる光源部とを備えるカメラ内蔵照明器具であって、
前記反射板部に設けられた撮影用溝部と、
前記カメラの撮像レンズの法線と交差する位置に設けられた可動式のミラー部とを備え、
前記ミラー部の法線に対して、前記カメラの撮像レンズの法線と線対称となる線分が、前記撮影用溝部を通過するように構成されたカメラ内蔵照明器具。
【請求項２】
請求項１に記載のカメラ内蔵照明器具であって、
前記光源部は、複数の直管状光源で構成されており、
前記撮影用溝部は、前記複数の直管状光源の間に設けられるカメラ内蔵照明器具。
【請求項３】
請求項１または２に記載のカメラ内蔵照明器具であって、
前記反射板部は、断面山型に形成されており、
前記撮影用溝部は、前記反射板部の稜線に設けられるカメラ内蔵照明器具。
【発明の詳細な説明】
【技術分野】
【０００１】
本発明は、カメラ内蔵照明器具にかかり、特に、照明器具内の目立たない位置に内蔵したカメラにより、広い範囲の映像を撮影することができる小型化されたカメラ内蔵照明器具に関する。
【背景技術】
【０００２】
従来、防犯や装置の外観向上などの目的から、照明器具にカメラを内蔵して周辺部の映像をカメラによって撮影するようにしたカメラ内蔵照明器具が知られている（例えば、特許文献１、特許文献２参照。）。特許文献１に記載のカメラ内蔵型照明器具は、照明装置とカメラ装置とをユニット構造とすることにより、カメラ装置を違和感のない位置に変更可能として、カメラ装置による撮影性能の向上を図っている。また、特許文献２に記載の装置は、カメラの作動を照明灯の点灯状態に追従させるようにして、照明灯が消灯状態のときにのみ、カメラを作動させて撮影するようにしたカメラ内蔵住宅用照明器具である。
【先行技術文献】
【特許文献】
【０００３】
【特許文献１】特開２００１−３５２４６号公報
【特許文献２】特開２００２−２１８４４０号公報
【発明の概要】
【発明が解決しようとする課題】
【０００４】
防犯などを目的としたカメラ付き照明器具では、カメラが目立った位置に設置されていると意匠性を損なうばかりでなく、いたずらあるいは犯罪目的などで破壊されたり、撮影不能状態にされたりする虞があるため、カメラを照明器具内に内蔵して目立たなくしている。従来のカメラ内蔵照明器具としては、カメラ装置として、比較的小型にすることができるＣＣＤ撮像装置を、照明器具内に配置・固定している。このカメラ内蔵照明器具によると、ＣＣＤ撮像装置が固定されているので、撮影範囲が限定されてしまい、必要とする範囲を十分にカバーすることができないという問題があった。
【０００５】
また、この撮影範囲の問題を解決するため、ＣＣＤ撮像装置を照明器具内で回動可能とし、設置現場の状況に合わせてＣＣＤ撮像装置を回動させて必要範囲の画像を撮影するようにしたものがある。しかしながら、ＣＣＤ撮像装置を回動させるスペースを照明器具内に確保しなければならず、照明器具が大型となってしまう問題があり、小型で設置場所を選ばず、且つ撮影範囲が広く、使い勝手のよいカメラ内蔵照明器具とするには改善の余地があった。
【０００６】
本発明は、前述した課題に鑑みてなされたものであり、その目的は、照明器具内の目立たない位置に内蔵したカメラによって広い範囲の映像を撮影することができ、且つ小型化されたカメラ内蔵照明器具を提供することにある。
【課題を解決するための手段】
【０００７】
そこで本発明は、反射板部と、前記反射板部に組み付けられる背面部と、前記反射板部と前記背面部とで囲まれる収容空間に収容されるカメラと、前記反射板部に臨んで取り付けられる光源部とを備えるカメラ内蔵照明器具であって、前記反射板部に設けられた撮影用溝部と、前記カメラの撮像レンズの法線と交差する位置に設けられた可動式のミラー部とを備え、前記ミラー部の法線に対して、前記カメラの撮像レンズの法線と線対称となる線分が、前記撮影用溝部を通過することを特徴とする。
この構成により、カメラの撮像レンズの法線と交差する位置に可動式のミラー部を配置し、ミラー部の法線に対してカメラの撮像レンズの法線と線対称となる線分が、反射板部に設けられた撮影用溝部を通過するようにしたので、ミラー部を揺動させることにより、わずかな撮影用溝部を通じて広い範囲の映像を固定カメラで撮影することが可能となる。また、カメラが照明器具内に収容されているため、外からは目立たずカメラの存在に気付き難い。
【０００８】
また、本発明は、上記カメラ内蔵照明器具において、前記光源部は、複数の直管状光源で構成されており、前記撮影用溝部は、前記複数の直管状光源の間に設けられることを特徴とする。
【０００９】
また、本発明は、上記カメラ内蔵照明器具において、前記反射板部は、断面山型に形成されており、前記撮影用溝部は、前記反射板部の稜線に設けられていることを特徴とする。
【発明の効果】
【００１０】
本発明のカメラ内蔵照明器具によれば、カメラの撮像レンズの法線と交差する位置に可動式のミラー部を配置し、ミラー部の法線に対してカメラの撮像レンズの法線と線対称となる線分が、反射板部に設けられた撮影用溝部を通過するようにしたので、ミラー部を揺動させることにより、わずかな撮影用溝部を通じて広い範囲の映像を固定カメラで撮影することができる。これにより、カメラを照明器具内で回動させるスペースが不要となって、カメラを内蔵するにも係わらず照明器具を小型化すると共に、広範囲の映像を撮影することができる。また、カメラが小型の照明器具内に収容されているので、カメラの存在に気付き難く、いたずらによって損傷を受ける可能性を少なくできる。
【００１１】
また、複数の直管状光源からなる光源部を備えると共に、撮影用溝部が複数の直管状光源の間に設けられているので、撮影に必要な照明光を十分に確保することができ、夜間など周囲が暗い状況でも鮮明な画像を撮影することができる。
【００１２】
更に、撮影用溝部は、断面山型に形成された反射板部の稜線に設けられているので、撮影用溝部が配光制御に影響を及ぼすことがなく、良好な画像が得られる。
【図面の簡単な説明】
【００１３】
【図１】本発明に係るカメラ内蔵照明器具を斜め下から見た部分斜視図
【図２】図１に示すカメラ内蔵照明器具から光源部および反射板部を取り外した状態を示す部分斜視図
【図３】図１に示すカメラ内蔵照明器具の縦断面図
【図４】カメラが固定された背面部に、反射板部が取り付けられる状態を示す断面図
【図５】可動式のミラー部により撮影用溝部を介して撮影可能な範囲を示す断面図
【発明を実施するための形態】
【００１４】
以下、本発明に係るカメラ内蔵照明器具の実施の形態を図面に基づいて詳細に説明する。
図１は本発明の実施の形態のカメラ内蔵照明器具を斜め下から見た部分斜視図であり、図２は光源部および反射板部を取り外した状態を示す部分斜視図である。
【００１５】
このカメラ内蔵照明器具１０は、図１および図２に示すように、反射板部１２と、前記反射板部１２に組み付けられる背面部１１と、前記反射板部１２と前記背面部１１とで囲まれる収容空間１７に収容されるカメラ１３と、前記反射板部１２に臨んで取り付けられる光源部１５とを備え、前記反射板部１２に設けられた撮影用溝部１９と、前記カメラ１３の撮像レンズ２１の法線と交差する位置に設けられた可動式のミラー部１４とを備え、前記ミラー部１４の法線に対して、前記カメラ１３の撮像レンズ２１の法線と線対称となる線分が、前記撮影用溝部を通過するように構成されている。
【００１６】
背面部１１は、例えば、長方形金属薄板の４辺が、略直角に折り曲げられて略矩形皿状形成されており、天井などに固定されてカメラ内蔵照明器具１０の取付けベースとなる。
【００１７】
反射板部１２は、例えば、金属薄板が断面山型に形成され、両端部に略３角形の側板１６がスポット溶接などにより一体に固定されている。反射板部１２は、下方から背面部１１を覆うように組み付けられて、背面部１１と反射板部１２とで囲まれる略３角柱形状の収容空間１７を形成する。山型に形成された反射板部１２の稜線１８には、その一部が切り欠かれて長穴状の撮影用溝部１９が開口している。
【００１８】
カメラ１３は、例えば、ＣＣＤ撮像素子、ＣＰＵ、ＲＯＭ、ＲＡＭなどの記憶素子を含んで構成される制御回路（図示せず）、およびＣＣＤ撮像素子上に光学像を形成する撮像レンズ２１などを備えるＣＣＤ撮像装置から構成されている。カメラ１３は、撮像レンズ２１の法線ＬＮを背面部１１の長手方向に向け、取付板２２を介して背面部１１に固定されている。これにより、カメラ１３は、背面部１１と反射板部１２とで囲まれる収容空間１７に収容される。
【００１９】
また、カメラ１３は、その長手方向が収容空間１７の長手方向と一致した方向に向けられて収容されるので、収容空間１７を大きくすることなく、通常の大きさの照明装置内に収容することができ、カメラ内蔵照明器具１０の小型化が可能となる。
【００２０】
可動式のミラー部１４は、カメラ１３の撮像レンズ２１の法線ＬＮと交差する位置に設けられている。具体的には、ミラー部１４は、左右両側部の上下方向中心位置に、左右に突出する支持軸２５を有する。支持軸２５は、撮像レンズ２１の前方で背面部１１に固定された略コの字型の支持板２６に回動自在に支持されている。支持板２６に支持された支持軸２５の軸芯Ｃは、撮像レンズ２１の法線ＬＮと直交している。これにより、ミラー部１４は、撮像レンズ２１の法線ＬＮに対して直交する軸芯Ｃを回転中心として、回動可能となっている。
【００２１】
カメラ１３、ミラー部１４、および撮影用溝部１９の相対的な位置関係は、図５を参照して、ミラー部１４の法線ＭＮに対して、カメラ１３の撮像レンズ２１の法線ＬＮと線対称となる線分３０が、反射板部１２に設けられた撮影用溝部１９を通過するように設定されている。
【００２２】
図１および図３を参照して、光源部１５は、例えば、２本の直管蛍光灯１５から構成された直管状光源である。２本の直管蛍光灯１５は、反射板部１２の表面側に設けられたソケット２７を介して、略山型に形成された反射板部１２の稜線１８を挟んで左右両側に取り付けられる。これにより、撮影用溝部１９は、２本の直管蛍光灯１５の間に位置する。
【００２３】
図４に示すように、カメラ内蔵照明器具１０は、カメラ１３、およびミラー部（１４）が取り付けられた背面部１１が、天井などの設置位置に固定される。次いで、反射板部１２がカメラ１３、およびミラー部（１４）を覆うように下方から背面部１１に取り付けられた後、ソケット２７に直管蛍光灯１５が装着されて組み付けられる。
【００２４】
本実施の形態の作用を説明する。カメラ内蔵照明器具１０は、図５に示すように、ミラー部１４を支持軸２５の軸芯Ｃを回動中心として揺動させながら、カメラ１３での撮影を行う。このとき、ミラー部１４の法線ＭＮに対して、カメラ１３の撮像レンズ２１の法線ＬＮと線対称となる線分３０は、反射板部１２に設けられた撮影用溝部１９を通過するように設定されているので、撮影用溝部１９を介してミラー部１４に映る範囲の映像がカメラ１３によって撮影される。
【００２５】
また、複数の直管状光源１５の間に設けられている撮影用溝部１９から撮影するので、撮影範囲を直管状光源１５で明るく照明することができ、夜間など周囲が暗い状況でも鮮明な画像を撮影することができる。更に、反射板部１２の稜線１８に設けられている撮影用溝部１９は、配光制御に影響を及ぼすことがない。
【００２６】
上記したように、本実施の形態のカメラ内蔵照明器具１０によれば、カメラ１３の撮像レンズ２１の法線ＬＮと交差する位置に可動式のミラー部１４を配置し、ミラー部１４の法線ＭＮに対してカメラ１３の撮像レンズ２１の法線ＬＮと線対称となる線分３０が、撮影用溝部１９を通過するようにしたので、ミラー部１４を揺動させることにより、わずかな撮影用溝部１９を通じて広い範囲の映像を固定されたカメラ１３で撮影することができる。
【００２７】
また、カメラ１３が固定カメラであるので、収容スペースが小さく、照明器具が小型化される。更に、カメラ１３が小型の照明器具内に収容されているので、カメラ１３の存在に気付き難く、いたずらによって損傷を受ける可能性が低減する。
【００２８】
また、撮影用溝部１９は、複数の直管状光源１５の間に設けられるので、撮影に必要な照明光を十分に確保することができ、夜間など周囲が暗い状況でも鮮明な画像を撮影することができる。更に、反射板部１２の稜線１８に設けられている撮影用溝部１９は、配光制御に影響を及ぼすことがなく、良好な画像が得られる。
【００２９】
尚、本発明は、前述した実施の形態に限定されるものではなく、適宜、変形、改良、等が可能である。例えば、上記の実施の形態において、カメラはＣＣＤ撮像装置として説明したが、これに限定されず、任意の形式のカメラを使用することができる。
【符号の説明】
【００３０】
１０      カメラ内蔵照明器具
１１      背面部
１２      反射板部
１３      カメラ
１４      ミラー部
１５      直管蛍光灯（光源部、直管状光源）
１７      収容空間
１８      反射板部の稜線
１９      撮影用溝部
２１      撮像レンズ
３０      撮像レンズの法線と線対称となる線分
ＬＮ      撮像レンズの法線
ＭＮ      ミラー部の法線
【図１】
2011028981.tif 000003
【図２】
2011028981.tif 000004
【図３】
2011028981.tif 000005
【図４】
2011028981.tif 000006
【図５】
2011028981.tif 000007